(57)【要約】【課題】配電線用区分開閉器を手動モードから自動モードに切り換えたときに、開閉器子局が区分開閉器の投入コイルに駆動電流を流しているか否かを検出することができるようにする。【解決手段】区分用開閉器５の投入コイルＣＣ及び保持コイルＨＣに駆動電流を流す回路に、駆動電流が流れたときに順方向電圧降下を生じる複数のダイオードＤa1〜Ｄanを直列に接続した構成を有するダイオード直列回路１２を挿入して、ダイオード直列回路１２の両端にフォトカプラ１６の発光部１６ａを接続し、フォトカプラの受光部１６ｂがオン状態にあるときに発光表示器を発光させて表示動作を行う表示部２０を設けた。【選択図】    図１
2011072108.tif 000002
【特許請求の範囲】
【請求項１】
配電線用区分開閉器の電源側及び負荷側から変圧器を通して取り出した交流電圧を整流する整流器と、前記開閉器を投入する際及び開放する際にそれぞれオン状態及びオフ状態にされる開閉器制御用スイッチと、前記整流器の出力で前記開閉器制御用スイッチを通して前記開閉器をオン状態にするための開閉器駆動電流を前記開閉器の駆動部に与える開閉器駆動回路と、系統電圧の有無や親局からの指令に応じて前記開閉器制御用スイッチのオンオフを制御する制御部とを備えた開閉器子局において、
前記開閉器駆動回路を通して電流が流れているか否かを検出する電流検出回路と、
前記電流検出回路により前記開閉器駆動回路を通して電流が流れていることが検出されているときに表示動作を行わせる表示部と、
を具備したことを特徴とする開閉器子局。
【請求項２】
前記開閉器駆動回路の出力端子間にチェックスイッチを通して接続された電流制限素子と、前記チェックスイッチをオン状態にする手段とを更に備えて、前記チェックスイッチがオン状態にされたときに前記電流制限素子を通して前記開閉器駆動回路に試験電流を流すことができるように構成され、
前記表示部は、前記電流検出回路が前記試験電流を検出したときにも前記表示動作を行わせるように構成されていること、
を特徴とする請求項１に記載の開閉器子局。
【請求項３】
前記電流検出回路は、複数のダイオードを向きを揃えて直列に接続した構成を有して前記開閉器駆動回路を流れる電流が順方向に流れる向きにして前記開閉器駆動回路に対して直列に挿入されたダイオード直列回路と、発光部と受光部とを有して発光部が前記ダイオード直列回路の両端に接続されたフォトカプラとを備えて、前記フォトカプラを通して前記開閉器駆動回路に電流が流れていることを検出するように構成されていることを特徴とする請求項１または２に記載の開閉器子局。
【請求項４】
前記電流検出回路は、前記開閉器駆動回路に対して直列に挿入されたリレーコイルと、前記リレーコイルが励磁されたときにオン動作またはオフ動作をする検出接点とからなっていることを特徴とする請求項１または２に記載の開閉器子局。
【請求項５】
前記表示部は、前記電流検出回路により前記開閉器駆動回路を通して電流が流れていることが検出されていないときに発光表示器の発光を停止させ、前記駆動電流検出回路により前記開閉器駆動回路を通して電流が流れていることが検出されているときに前記発光表示器を発光させるように構成されている請求項１，２，３または４に記載の開閉器子局。
【請求項６】
前記表示部は、前記電流検出回路により前記開閉器駆動回路を通して電流が流れていることが検出されていないときに発光表示器を発光させ、前記駆動電流検出回路により前記開閉器駆動回路を通して電流が流れていることが検出されているときに前記発光表示器の発光を停止させるように構成されている請求項１，２，３または４に記載の開閉器子局。
【請求項７】
前記制御部は、前記電流検出回路による検出結果を親局に送信する開閉器駆動電流検出結果送信手段を備えていることを特徴とする請求項１ないし６のいずれか１つに記載の開閉器子局。
【発明の詳細な説明】
【技術分野】
【０００１】
本発明は、配電線用区分開閉器に接続される開閉器子局に関するものである。
【背景技術】
【０００２】
配電系統においては、配電線を区分する区分開閉器（以下単に開閉器ともいう。）に開閉器子局を接続して、この子局に、開閉器の制御と、親局との通信とを行わせている。開閉器子局は、区分開閉器の電源側及び負荷側の系統電圧の有無や、電力会社の営業所に設置された親局等、上位の局から与えられる指令に応じて開閉器の投入及び開放を制御する他、区分開閉器の設置箇所における系統の情報を親局に送信したり、親局と他の開閉器子局との間で行われる通信の中継を行ったりする。
【０００３】
開閉器子局は、例えば、特許文献１に示されているように、配電線用区分開閉器の電源側及び負荷側から変圧器を通して取出した交流電圧を整流する整流器と、開閉器を投入する際及び開放する際にそれぞれオン状態及びオフ状態にされる開閉器制御用スイッチと、整流器の出力で開閉器制御用スイッチを通して開閉器をオン状態にするための開閉器駆動電流を区分開閉器の駆動部に与える開閉器駆動回路と、区分開閉器の電源側及び負荷側の系統電圧の有無や親局からの指令に応じて開閉器制御用スイッチのオンオフを制御する制御部とを備えている。
【０００４】
区分開閉器が設けられている配電系統においては、工事を行う際などに、区分開閉器を手動で操作することが必要になることがある。そのため、区分開閉器の動作モードを自動モードと手動モードとに切り換える手段が設けられていて、工事の際に区分開閉器を手動操作する場合に動作モードを手動モードとし、工事が終った後に動作モードを自動モードに切り換えて、子局による区分開閉器の自動操作が可能な状態に戻すようにしている。
【０００５】
多くの場合、区分開閉器としては、駆動部に投入コイルと保持コイルとを備えた電磁開閉器が用いられる。区分開閉器として電磁開閉器が用いられる場合には、自動モードに切り換えられたときに開閉器子局内の開閉器制御用スイッチをオン状態にして子局から投入コイルに大きな駆動電流を流すことにより区分開閉器の可動接点を固定接点に接触させて区分開閉器を投入し、投入が完了した後に保持コイルに制限された保持電流を流すことにより開閉器を投入状態に保持する。また系統に発生した事故などにより、区分開閉器を開放する必要が生じたときには、開閉器制御用スイッチをオフ状態にすることにより、保持コイルへの駆動電流の供給を停止させて開閉器を開放状態にする。
【先行技術文献】
【特許文献】
【０００６】
【特許文献１】特開平８−２３６２９号公報
【発明の概要】
【発明が解決しようとする課題】
【０００７】
配電系統において事故が生じたときには、所定の区分開閉器の動作モードを手動モードにしてその区分開閉器を手動操作により開き、事故が生じた区間を停電させて復旧作業を行う。復旧作業が完了した後、区分開閉器を手動操作により投入し、動作モードを手動モードから自動モードに切り換える。自動モードでは、開閉器子局から区分開閉器に開閉器を投入状態に保持するために必要な開閉器駆動電流を常時流すことにより、区分開閉器を投入状態に保持する。区分開閉器を手動モードから自動モードに切り換えた際に開閉器子局から区分開閉器に所定の駆動電流が流れないと、区分開閉器が開いてしまい、停電を発生させてしまうことになる。
【０００８】
従来の開閉器子局は、開閉器駆動電流が流れたことを確認する手段を持たなかったため、作業者は、区分開閉器の動作モードを手動モードから自動モードに切り換えた際に、区分開閉器内で発生するリレーの動作音を確認することにより、開閉器駆動電流が流れたことを確認するようにしていた。しかしながら、リレーの動作音は微弱であるため、聞き逃すことがあり、開閉器に駆動電流が流れたことの確認を確実に行うことができないという問題があった。
【０００９】
また動作モードを手動モードから自動モードに切り換えた際に区分開閉器が開いた場合、子局の異常により開閉器が開いたのか、またはその他の原因により開閉器が開いたのかを判別する必要があるが、従来の開閉器子局は、区分開閉器に駆動電流が流れているか否かを確認する手段を持たなかったため、子局に異常があって開閉器駆動電流を供給できないために開閉器が開いたのか、その他の原因により開閉器が開いたのかを判別することができないという問題があった。
【００１０】
本発明の目的は、区分開閉器の動作モードを手動モードから自動モードに切り換えた際に区分開閉器の駆動部に所定の駆動電流が流れているか否かの確認を、開閉器の動作音に頼ることなく確実に行うことができるようにした開閉器子局を提供することにある。
【００１１】
本発明の他の目的は、区分開閉器の駆動部に所定の駆動電流が流れているか否かの確認を行うことができるだけでなく、動作モードを手動モードから自動モードに切り換えたことにより区分開閉器が開いた場合に、子局の異常により区分開閉器が開いたのか、またはその他の原因により区分開閉器が開いたのかを判別することができるようにした開閉器子局を提供することにある。
【課題を解決するための手段】
【００１２】
本発明は、配電線用区分開閉器の電源側及び負荷側から変圧器を通して取り出した交流電圧を整流する整流器と、前記開閉器を投入する際及び開放する際にそれぞれオン状態及びオフ状態にされる開閉器制御用スイッチと、前記整流器の出力で開閉器制御用スイッチを通して開閉器をオン状態にするための開閉器駆動電流を開閉器の駆動部に与える開閉器駆動回路と、系統電圧の有無や親局からの指令に応じて開閉器制御用スイッチのオンオフを制御する制御部とを備えた開閉器用子局を対象とする。
【００１３】
上記開閉器の駆動部は、開閉器を投入する際に駆動電流が与えられる部分で、電磁石により可動接触子が操作される電磁開閉器を区分開閉器の本体部分として用いる場合、開閉器の駆動部は投入コイル及び保持コイルである。
【００１４】
本発明においては、開閉器駆動回路を通して電流が流れているか否かを検出する電流検出回路と、この電流検出回路により開閉器駆動回路を通して電流が流れていることが検出されているときに表示動作を行わせる表示部とを設けた。
【００１５】
上記のように構成すると、区分開閉器の動作モードを手動モードから自動モードに切り換えたときに、表示部が行う表示動作により、区分開閉器に開閉器駆動電流が流れたか否かを確認することができる。従って、区分開閉器の動作音に頼ることなく、区分開閉器に駆動電流が流れたことを容易に確認することができる。
【００１６】
本発明の好ましい態様では、開閉器駆動回路の出力端子間にチェックスイッチを通して接続された電流制限素子と、チェックスイッチをオン状態にする手段とが更に設けられて、チェックスイッチがオン状態にされたときに電流制限素子を通して開閉器駆動回路に試験電流を流すことができるように構成されている。この場合表示部は、電流検出回路が試験電流を検出したときにも発光表示器に表示動作を行わせるように構成される。
【００１７】
前記のように、区分開閉器に開閉器駆動電流が流れているときに表示動作を行う表示部を設けておくと、区分開閉器の動作モードを手動モードから自動モードに切り換えることにより区分開閉器が開いた場合に、表示部が表示動作を行っていれば、開閉器が開いた異常の原因が開閉器子局以外にあると判別することができる。
【００１８】
また上記のように、開閉器駆動回路の出力端子間にチェックスイッチを通して電流制限素子を接続して、チェックスイッチをオン状態にしたときに電流制限素子を通して開閉器駆動回路に試験電流を流すことができるように構成しておくと、区分開閉器の動作モードを手動モードから自動モードに切り換えたときに区分開閉器が開き、かつ表示部が表示動作を行っていないときに、チェックスイッチをオン状態にして表示部が表示動作を行うか否かを確認することにより、異常の原因が開閉器子局にあるのか、区分開閉器側にあるのかを判別することができる。
【００１９】
例えば、動作モードを手動モードから自動モードに切り換えた際に区分開閉器が開き、かつ表示部が表示動作を行っていない状態で、チェックスイッチをオン状態にしたときに表示部が表示動作を行った場合には、開閉器子局は正常であるが、区分開閉器の駆動部（例えば投入コイル）が異常である（例えば焼損している）と判定することができる。また動作モードを手動モードから自動モードに切り換えた際に区分開閉器が開き、かつ表示部が表示動作を行っていない状態で、チェックスイッチをオン状態にしたときに表示部が表示動作を行わない場合には、開閉器子局が異常であると判定することができる。
【００２０】
また上記のように開閉器駆動回路の出力端子間に電流制限素子をチェックスイッチを通して接続して、チェックスイッチをオン状態にしたときに開閉器駆動回路に試験電流を流すことができるようにしておくと、配電線の工事が終了し、区分開閉器を手動で投入した後、動作モードを手動モードから自動モードに切り換える前に、チェックスイッチをオン状態にして、表示部が表示動作を行うか否かを見ることにより、開閉器子局が正常であるか否かを判別することができるため、開閉器子局に異常がある状態で動作モードが手動モードから自動モードに切り換えられて区分開閉器が開いてしまうのを未然に防ぐことができる。
【００２１】
チェックスイッチは押ボタンスイッチ等の直接操作されるモメンタリスイッチであってもよく、制御部によりオンオフ制御されるスイッチであってもよい。チェックスイッチとして押ボタンスイッチを用いる場合には、該押ボタンスイッチの押ボタンがチェックスイッチをオン状態にする手段として機能する。チェックスイッチとして制御部によりオンオフ制御されるスイッチを用いる場合には、チェックスイッチをオン状態にすることを指令する指令信号を制御部に与える指令スイッチと、この指令スイッチにより制御部に指令信号が与えられたときにチェックスイッチにオン状態にするようにチェックスイッチを駆動するスイッチ駆動手段とにより、チェックスイッチをオン状態にする手段を構成することができる。
【００２２】
本発明の好ましい態様では、電流検出回路が、複数のダイオードを向きを揃えて直列に接続した構成を有して開閉器駆動電流が順方向に流れる向きにして開閉器駆動回路に対して直列に挿入されたダイオード直列回路と、発光部と受光部とを有して発光部がダイオード直列回路の両端に接続されたフォトカプラとを備えて、フォトカプラを通して開閉器駆動電流が流れていることを検出するように構成されている。
【００２３】
上記のように、駆動電流検出回路の出力部をフォトカプラにより構成すると、開閉器駆動電流が流れる回路と検出信号を処理する制御部との間を電気的に絶縁することができるため、制御部にサージが侵入して制御部を構成する電子部品が破損するおそれを少なくすることができ、信頼性を高めることができる。
【００２４】
直流電流を検出する検出部は、検出しようとする電流が流れる回路に対して直列に挿入されたシャント抵抗により構成することも考えられるが、シャント抵抗を用いると、開閉器駆動電流の変動幅が大きい場合に、検出回路の出力部をフォトカプラにより構成することができない。
【００２５】
例えば、区分開閉器として、電磁石により可動コンタクトを操作する電磁開閉器を用いる場合には、開閉器の投入時に投入コイルに大きな駆動電流（投入電流）を流し、開閉器の投入が完了した後は保持コイルに制限された駆動電流（保持電流）を流して開閉器を投入状態に保持する。通常、投入電流の電流値は、保持電流の電流値の１００倍以上にもなる。この場合、大きな投入電流が流れた際にシャント抵抗の両端に発生する電圧が過大にならないように抵抗値を小さく設定すると、投入完了後、開閉器駆動電流を保持電流の電流値まで減少させた際に、シャント抵抗の両端に発生する電圧が低くなり過ぎ、フォトカプラを動作させることができなくなる。保持電流の通電時にもフォトカプラを動作させるようにシャント抵抗の抵抗値を大きく設定すると、開閉器の投入時にシャント抵抗の両端に発生する電圧が過大になり、フォトカプラが破損することになる。
【００２６】
これに対し、本発明のように、駆動電流検出回路の検出部をダイオード直列回路により構成すると、ダイオードの順方向電圧降下は電流の変化に対してほぼ一定（例えば0.6ボルト）であるため、開閉器駆動電流の電流値が大きい場合も、小さい場合も、ほぼ一定の検出電圧を得ることができ、駆動電流の変化幅が大きい場合でもフォトカプラを支障なく動作させることができる。またダイオード直列回路を構成するダイオードの数を適宜に選定することにより、フォトカプラに印加する検出電圧の電圧値を適切な値に調整することができる。従って、検出部をダイオード直列回路により構成すれば、開閉器の投入時にも投入保持時にも、フォトカプラを支障なく動作させることができる。
【００２７】
本発明の他の好ましい態様では、電流検出回路が、開閉器駆動回路に対して直列に挿入されたリレーコイルと、リレーコイルが励磁されたときにオン動作またはオフ動作をする検出接点とにより構成される。
【００２８】
このように、電流検出回路をリレーにより構成した場合にも、開閉器駆動電流が流れる回路と検出信号を処理する制御部との間を電気的に絶縁することができるため、制御部にサージが侵入して制御部を構成する電子部品が破損するおそれを少なくすることができ、信頼性を高めることができる。
【００２９】
上記表示部は、例えば、電流検出回路により前記開閉器駆動回路を通して電流が流れていることが検出されていないときに発光表示器の発光を停止させ、駆動電流検出回路により開閉器駆動回路を通して電流が流れていることが検出されているときに発光表示器を発光させるように構成することができる。また、電流検出回路により開閉器駆動回路を通して電流が流れていることが検出されていないときに発光表示器を発光させ、駆動電流検出回路により開閉器駆動回路を通して電流が流れていることが検出されているときに発光表示器の発光を停止させるように構成することもできる。
【００３０】
本発明の好ましい態様では、制御部が、電流検出回路による検出結果を親局に送信する開閉器駆動電流検出結果送信手段を備えている。
【００３１】
このように構成しておくと、親局で、配電系統にある各区分開閉器の子局が正常であるか否かを監視することができる。
【発明の効果】
【００３２】
本発明によれば、開閉器駆動回路を通して電流が流れているか否かを検出する電流検出回路と、この電流検出回路により開閉器駆動回路を通して電流が流れていることが検出されているときに発光表示器に表示動作を行わせる表示部とを設けたので、区分開閉器の動作モードを手動モードから自動モードに切り換えたときに、発光表示器の表示動作により、区分開閉器に開閉器駆動電流が流れたか否かを目視で確認することができる。従って、区分開閉器の動作音に頼ることなく、区分開閉器に駆動電流が流れたことを確認することができる。
【００３３】
本発明において、開閉器駆動回路の出力端子間にチェックスイッチを通して接続された電流制限素子と、チェックスイッチをオン状態にする手段とを更に設けて、チェックスイッチがオン状態にされたときに電流制限素子を通して開閉器駆動回路に試験電流を流すことができるようにした場合には、区分開閉器の動作モードを手動モードから自動モードに切り換えたときに区分開閉器が開き、かつ表示部が表示動作を行っていないときに、チェックスイッチをオン状態にして表示部が表示動作を行うか否かを確認することにより、異常の原因が開閉器子局にあるのか、区分開閉器側にあるのかを判別することができる。
【００３４】
また本発明において、開閉器駆動回路の出力端子間に電流制限素子をチェックスイッチを通して接続して、チェックスイッチをオン状態にしたときに開閉器駆動回路に試験電流を流すことができるように構成した場合には、区分開閉器を手動で投入した後、動作モードを手動モードから自動モードに切り換える前に、チェックスイッチをオン状態にして、表示部が表示動作を行うか否かを見ることにより、開閉器子局が正常であるか否かを判別することができるため、開閉器子局に異常がある状態で動作モードが手動モードから自動モードに切り換えられて区分開閉器が開いてしまうのを未然に防ぐことができる。
【図面の簡単な説明】
【００３５】
【図１】本発明の一実施形態に係わる開閉器子局と、この子局により制御される区分開閉器の構成を示した回路図である。
【図２】本発明の他の実施形態に係わる開閉器子局と、この子局により制御される区分開閉器の構成を示した回路図である。
【図３】本発明の更に他の実施形態に係わる開閉器子局と、この子局により制御される区分開閉器の構成を示した回路図である。
【図４】図１の実施形態の開閉器子局に設ける表示部の構成例を示した回路図である。
【図５】図１の実施形態の開閉器子局に設ける表示部の他の構成例を示した回路図である。
【図６】本発明に係わる開閉器子局が設けられる配電系統の構成の一例を示した単線結線図である。
【発明を実施するための形態】
【００３６】
以下図面を参照して本発明の実施形態を詳細に説明する。
図６は配電系統の一部の構成を示したもので、同図において、１は変圧器２と、変圧器２の二次側に接続された遮断器３とを備えた変電所である。変圧器２の一次側には発電所または上位の変電所から電力が供給され、変圧器２の二次側には、遮断器３を通して配電線４が接続されている。
【００３７】
配電線４の途中には所定の間隔をおいて区分開閉器５，５，…が挿入されて、配電線４が複数の区間に区分され、各区分の配電線から需要家の負荷に給電されている。区分開閉器５は、電磁開閉器からなる区分開閉器の本体と該開閉器を駆動する駆動部を構成する投入コイル及び保持コイルとをケース内に収容した構成を有して、電柱に装柱されるか、または地下溝内に設置される。
【００３８】
６は各区分開閉器５に対して設けられた本発明に係わる開閉器子局で、各開閉器子局６には、区分開閉器５の電源側（上流側）及び負荷側（下流側）の三相の配電線のうちの二相の配電線から変圧器７及び８を通して取り出された交流電圧が入力されている。
【００３９】
図１は、本発明の一実施形態に係わる開閉器子局６と、対応する区分開閉器５とを示している。区分開閉器５はＵＶＷ三相の配電線４にそれぞれ直列に接続された三相の区分開閉器本体５ｕ、５ｖ及び５ｗと、投入コイルＣＣと、投入コイルＣＣに対して直列に接続された保持コイルＨＣと、保持コイルＨＣに対して並列に接続されたリレーの常閉接点５０１と、投入コイル及び保持コイルに対して直列に接続されたモード切換スイッチ５０２とを備えている。接点５０１は、区分開閉器が開いている状態では閉じており、投入コイルＣＣに駆動電流が流れた後、所定の遅延時間が経過したときに開くようになっている。またモード切換スイッチ５０２は、動作モードを手動モードとするときにオフ状態にされ、動作モードを自動モードにするときにオン状態にされる。開閉器本体５ｕ，５ｖ，５ｗと投入コイルＣＣ及び保持コイルＨＣはケース５０３内に収容されている。ケース５０３には開閉器本体５ｕ，５ｖ，５ｗを手動操作する際に用いられる手動操作ハンドルが、ケース５０３の外部から操作し得るようにして取り付けられている。またモード切換スイッチ５０２の操作部も、ケース５０３の外部から操作し得るように設けられている。投入コイルＣＣと、保持コイルＨＣとモード切換スイッチ５０２との直列回路の両端から駆動電流入力端子５ａ及び５ｂが引出されている。
【００４０】
変圧器７及び８は一次コイル及び二次コイルを有する降圧変圧器で、図示の例では、それぞれの一次コイルが、ＵＶＷ三相の配電線４のうち、Ｖ相及びＷ相の配電線に接続されている。
【００４１】
開閉器子局６は、変圧器７及び８の二次コイルに誘起する電圧が切換えスイッチ９を通して入力された全波整流器１０を備えている。この全波整流器は、ダイオードＤ1ないしＤ4をブリッジ接続した構成を有し、その正極側の直流出力端子１０ａに、開閉器制御用スイッチ１１を構成するリレー接点を通して開閉器駆動回路の一方の出力端子６ａが接続されている。また整流器１０の負極側の直流出力端子１０ｂと、開閉器駆動回路の他方の出力端子６ｂとの間に、複数のダイオードＤa1，Ｄa2，…，Ｄanを向きを揃えて直列接続した構成を有するダイオード直列回路１２が、それぞれのダイオードのアノードを出力端子６ｂ側に向けた状態で接続されている。開閉器駆動回路の出力端子（子局の出力端子）６ａ及び６ｂはそれぞれ区分開閉器５の入力端子５ａ及び５ｂに接続されている。本実施形態では、整流器１０と、整流器１０の正極側出力端子をスイッチ１１を通して出力端子６ａに接続する回路と、整流器１０の負極側出力端子をダイオード直列回路１２を通して出力端子６ｂに接続する回路とにより、整流器１０の出力で開閉器制御用スイッチ１１を通して開閉器をオン状態にするための開閉器駆動電流を開閉器の駆動部に与える開閉器駆動回路が構成され、ダイオード直列回路１２が開閉器駆動回路に直列に挿入されている。
【００４２】
出力端子６ａ，６ｂ間には、電流制限素子としての抵抗器１３がチェックスイッチ１４を通して接続されている。図示のチェックスイッチ１４は、押ボタンを押している間だけオン状態になる押ボタンスイッチからなっている。チェックスイッチ１４を構成する押ボタンスイッチの押ボタンは、子局のケース６０１の外部から操作し得るように設けられていて、この押ボタンスイッチの押ボタンがチェックスイッチ１４をオン状態にする手段を構成している。
【００４３】
開閉器子局６にはまた、切換スイッチ９と開閉器制御用スイッチ１１とを制御する制御部１５が設けられている。制御部１５には、変圧器７及び８を通してそれぞれ検出された区分開閉器５の電源側及び負荷側の配電線電圧が入力されるとともに、電力会社の営業所に設置された図示しない親局から送信される指令信号が入力されている。
【００４４】
制御部１５は、区分開閉器５の電源側の配電線電圧及び負荷側の配電線電圧の有無により切換スイッチ９を制御するとともに、親局から与えられる指令や、電源側配電線電圧及び負荷側配電線電圧の有無に応じて開閉器制御用スイッチをオン状態またはオフ状態にするように制御する。例えば、電源側配電線電圧及び負荷側配電線電圧の双方が存在する場合には、電源側配電線電圧及び負荷側配電線電圧の一方を整流器１０に入力し、電源側配電線電圧及び負荷側配電線電圧のうちの一方が喪失したときには、存在する方の配電線電圧を整流器１０に入力するように切換スイッチ９を制御する。また定常状態では、整流器１０から保持コイルＨＣに開閉器駆動電流を流し、配電系統に事故が生じて区分開閉器を開く必要が生じたときには、保持コイルＨＣへの駆動電流の供給を停止するように、開閉器制御用スイッチ１１を制御する。
【００４５】
本実施形態では、ダイオード直列回路１２の両端に、フォトカプラ１６の受光部を構成する発光ダイオード１６ａが、そのアノードをダイオード直列回路１２を構成するダイオードと同じ方向に向けた状態で、抵抗器１７を通して並列に接続されている。フォトカプラ１６の受光部はエミッタが接地されたＮＰＮ形のフォトトランジスタ１６ｂからなっていて、そのコレクタは抵抗器１８を通して、一定の直流電圧を出力する図示しない電源回路のプラス側出力端子Ｂに接続されている。
【００４６】
本実施形態では、ダイオード直列回路１２とフォトカプラ１６とにより、開閉器駆動回路を通して電流が流れているか否かを検出する電流検出回路１９が構成されている。ダイオード直列回路１２は、開閉器駆動回路を通して開閉器駆動電流が流れたときにその両端に順方向電圧降下を生じ、フォトカプラ１６の発光部を構成する発光ダイオード１６ａを発光させる。フォトカプラ１６の受光部を構成するフォトトランジスタ１６ｂは、開閉器駆動回路を通して所定の開閉器駆動電流が流れて発光ダイオード１６ａが発光したときにオン状態になって制御部１５に電流検出信号を与える。制御部１５は、電流検出回路１９から電流検出信号が入力されたときに表示部２０に、表示動作を行わせるための駆動信号Ｖｓを与える。
【００４７】
表示部２０は、例えば図４に示されているように、図示しない電源回路の正極側出力端子Ｂに抵抗２１を通してアノードが接続された発光ダイオード２２と、エミッタが接地されコレクタが発光ダイオード２２のカソードに接続されたＮＰＮトランジスタ２３と、電源回路の正極側出力端子Ｂとトランジスタ２３のベースに接続された抵抗２４と、トランジスタ２３のベースにコレクタが接続され、エミッタが接地されたたオンオフ制御用のＮＰＮトランジスタ２５とにより構成することができる。この例では、発光ダイオード２２が発光表示器を構成している。
【００４８】
前述のように、本実施形態では、電流検出回路１９が開閉器駆動電流を検出していないとき（フォトカプラの受光部１６ｂがオフ状態にあるとき）に、制御部１５が表示部２０のトランジスタ２５への駆動信号の供給を停止しており、電流検出回路１９が開閉器駆動電流を検出したとき（フォトカプラの受光部１６ｂがオン状態になったとき）に制御部１５が表示部のトランジスタ２３のベースに駆動信号Ｖｓを与える。開閉器駆動回路を通して開閉器駆動電流が流れておらず、制御部１５からトランジスタ２５に駆動信号が与えられていないときには、トランジスタ２５がオフ状態にあるため、トランジスタ２３がオン状態になり、発光ダイオード２２を発光させる。
【００４９】
これに対し、電流検出回路１９により、開閉器駆動回路を通して開閉器駆動電流が流れたことが検出されたときには、制御部１５からトランジスタ２５に駆動信号Ｖｓが与えられるため、トランジスタ２５がオン状態になり、トランジスタ２３をオフ状態にする。これにより発光ダイオード２２が消灯して、開閉器駆動電流が流れたことを表示する。即ちこの例では、開閉器駆動電流が流れていないときに発光表示器が点灯し、開閉器駆動電流が流れている定常状態では発光表示器が消灯する。
【００５０】
図５は発光表示部２０の他の構成例を示している。この例では、コレクタが接地されたＰＮＰトランジスタ２６のエミッタが発光ダイオード２２のカソードに接続され、エミッタが接地されたオンオフ制御用トランジスタ２５のコレクタが抵抗２７を通してトランジスタ２６のベースに接続されている。この場合、制御部１５は、電流検出回路１９が開閉器駆動電流を検出していないとき、トランジスタ２５のベースへの駆動信号の供給を停止しており、電流検出回路１９が開閉器駆動電流を検出しているときにトランジスタ２５に駆動信号Ｖｓを供給する。
【００５１】
開閉器駆動回路を通して開閉器駆動電流が流れておらず、制御部１５からトランジスタ２５に駆動信号Ｖｓが与えられていないときには、トランジスタ２５がオフ状態にあるため、トランジスタ２６にベース電流が流れず、トランジスタ２６がオフ状態にある。この状態では、発光ダイオード２２が発光を停止している。開閉器駆動回路を通して開閉器駆動電流が流れているときには、制御部１５がトランジスタ２５に駆動信号Ｖｓを与えるため、トランジスタ２５がオン状態になり、トランジスタ２６にベース電流が流れる。これによりトランジスタ２６がオン状態になり、発光ダイオード２２を発光させる。即ちこの例では、開閉器駆動電流が流れていないときに発光表示器が消灯し、開閉器駆動電流が流れている定常状態で発光表示器が点灯する。
【００５２】
制御部１５は、図示しない親局との間で通信をする手段を備えており、子局側の情報を含む信号を親局に送信するとともに、親局から与えられる指令信号を受信する。本実施形態では、電流検出回路１９が開閉器駆動電流を検出しているか否かの情報を親局に送信する開閉器駆動電流検出結果送信手段を備えている。
【００５３】
図１に示した実施形態において、通常はモード切換スイッチ５０２をオン状態にし、区分開閉器の投入コイルＣＣ及び保持コイルＨＣに電流が流れるようにしておく。この状態で制御部１５が開閉器制御用スイッチ１１をオン状態にすると、整流器１０からスイッチ１１と接点５０１とインピーダンスが低い投入コイルＣＣとダイオード直列回路１２とを通して大きな開閉器駆動電流（投入電流）が流れる。これにより開閉器５ｕないし５ｗが投入される。開閉器の投入が完了するタイミングで接点５０１が開くため、インピーダンスが大きい保持コイルＨＣが投入コイルＣＣに直列に接続される。これにより、制限された保持電流が保持コイルＨＣに流れる状態になり、開閉器が投入状態に保持される。
【００５４】
配電系統で事故が発生し、区分開閉器５を開く必要が生じたときには、制御部１５が開閉器制御用スイッチ１１をオフ状態にし、開閉器駆動電流を遮断する。これにより区分開閉器５が開く。事故が復旧し、区分開閉器５を投入してもよい条件が成立したときに親局から与えられる指令に従って制御部１５が開閉器制御用スイッチ１１をオン状態にする。これにより投入コイルに開閉器駆動電流が与えられるため区分開閉器５が投入され、その後接点５０１が開くことにより保持コイルに通電される。
【００５５】
配電線の工事が必要になったとき、例えば区分開閉器５の下流側で配電線の工事が必要になったときには、現場で作業者がモード切換スイッチ５０２を開き、区分開閉器５を開放状態にする。
【００５６】
工事が終了したときには、先ず手動操作により区分開閉器５を投入し、次いでモード切換スイッチ５０２を閉じる前に、チェックスイッチ１４をオン状態にする。このとき開閉器子局６が正常であれば、整流器１０から抵抗器１３を通して試験電流が流れる。表示部２０は電流検出回路１９が試験電流を検出したときにも表示動作を行うため、チェックスイッチ１４をオン状態にすることにより、開閉器子局が開閉器駆動電流を流すことができる正常な状態にあることを確認することができる。開閉器子局に異常があって開閉器駆動電流を流すことができないときには、チェックスイッチ１４をオン状態にしても電流が流れず、電流検出回路１９が電流を検出しないため、表示部２０は開閉器子局が正常であることを示す表示動作を行わない。従って開閉器子局が異常な状態で動作モードが自動モードに切換えられることにより区分開閉器５が開放されるのを防ぐことができる。
【００５７】
チェックスイッチ１４をオン状態にした結果表示部２０が表示動作を行ったときには、開閉器子局６が正常であるので、モード切換スイッチ５０２をオン状態にする。このとき区分開閉器の投入コイルＣＣに開閉器駆動電流が流れれば、表示部２０が表示動作を行うため、区分開閉器に正常に駆動電流が流れたことを確認することができる。
【００５８】
チェックスイッチ１４をオン状態にすることにより開閉器子局６が正常であると判定されたにもかかわらず、モード切換スイッチ５０２をオン状態にして動作モードを自動モードに切換えたときに区分開閉器が開き、表示部２０が開閉器駆動電流が流れたことの表示動作を行わない場合には、区分開閉器の投入コイルＣＣに断線、焼損などの異常があるとの推定を行うことができる。
【００５９】
従って本発明によれば、動作モードを手動モードから自動モードに切換えることにより区分開閉器が開放された際に、開閉器子局側及び区分開閉器側のいずれの側に異常があるのかを判別することができる。
【００６０】
図２は本発明の他の実施形態を示したもので、この実施形態では、制御部１５にチェック指令を与えるチェック指令スイッチ３０が設けられ、抵抗器１３に対して直列に接続されるチェックスイッチ１４′として、制御部１５により制御されるリレーなどのスイッチが用いられている。チェック指令スイッチ３０としては、押ボタンスイッチのようなモメンタリスイッチを用いるのが好ましい。制御部１５は、チェック指令スイッチ３０がオン状態にされてチェック指令が与えられたときにチェックスイッチ１４′をオン状態にするチェックスイッチ駆動手段を備えている。
【００６１】
図３は本発明の更に他の実施形態を示したもので、この実施形態においては、開閉器駆動回路に対して直列に挿入されたリレーコイル４０と、リレーコイル４０が励磁されたときにオン動作をする検出接点４０ａとにより電流検出回路１９′が構成されている。このように構成した場合も、電流検出回路の出力部にフォトカプラを用いた場合と同様に、開閉器駆動回路と制御部１５との間を絶縁することができる。
【００６２】
上記の実施形態では、区分開閉器５内にモード切換スイッチ５０２を設けたが、開閉器子局６内に、開閉器駆動電流の通電を許容する状態と禁止する状態とを切換える動作モード切換スイッチを設けるようにしてもよい。
【００６３】
上記の実施形態では、表示部が表示動作を行う表示手段として発光ダイオードを用いたが、発光ダイオード以外の発光表示器を表示手段として用いたり、他の適宜な表示手段を用いたりすることもできる。例えば、正常な状態を示す色で塗られた領域と異常な状態を示す色で塗られた領域とを有する可動表示板を表示窓の裏側に配置して、この表示板を変位させることにより、正常な状態と異常な状態とで表示窓を通して見える色が異なるようにした表示器を用いることもできる。
【００６４】
上記の実施形態では、発光表示器を発光させたり、発光を停止させたりすることにより表示動作を行わせているが、開閉器駆動電流が流れる状態と流れない状態とで、発光表示器が発光する色を異ならせることにより表示動作を行わせるようにすることもできる。
【００６５】
上記の実施形態では、電流検出回路１９の検出出力を制御部１５に与えて、制御部で開閉器駆動回路に駆動電流が流れたと判定されたときに表示部２０に駆動信号を与えて表示動作を行わせるようにしたが、電流検出回路１９の検出出力で直接表示部１０を動作させるように構成してもよい。
【符号の説明】
【００６６】
４  配電線
５  区分開閉器
６  開閉器子局
７  変圧器
８  変圧器
９  切換スイッチ
１０  整流器
１１  開閉器制御用スイッチ
１２  ダイオード直列回路
１３  抵抗器（電流制限素子）
１４  チェック用スイッチ
１５  制御部
１６  フォトカプラ
１９  電流検出回路
２０  表示部
【図１】
2011072108.tif 000003
【図２】
2011072108.tif 000004
【図３】
2011072108.tif 000005
【図４】
2011072108.tif 000006
【図５】
2011072108.tif 000007
【図６】
2011072108.tif 000008